(57)【要約】      （修正有）【課題】粉状物や粒状物等の供給物を微量ずつ排出するように排出口を狭くしても、供給物が固まらず、供給物を安定して排出することができる振動フィーダを提供する。【解決手段】排出口５を有する収容部１と、収容部１を振動させる振動手段４を備え、振動手段４の作動による収容部１の振動で収容部１内の供給物を排出口から排出する振動フィーダにおいて、収容部１は先細りの排出口５を備え、その収容部１内に、供給物の固まりを崩す解し手段７を備えている。【選択図】図１
2013144589.tif 000002
【特許請求の範囲】
【請求項１】
排出口を有する収容部と、前記収容部を振動させる振動手段を備え、前記振動手段の作動による収容部の振動で前記収容部内の供給物を排出口より排出する振動フィーダにおいて、
前記収容部は先細りの排出口を備え、その収容部内に、供給物の固まりを崩す解し手段を備えていることを特徴とする振動フィーダ。
【請求項２】
前記解し手段は、前記排出口の上流側近傍に配置されていることを特徴とする請求項１記載の振動フィーダ。
【請求項３】
前記解し手段は、前記振動手段の作動による収容部の振動により作動し、該解し手段が供給物の固まりに衝突して前記供給物の固まりを崩すことを特徴とする請求項１又は２記載の振動フィーダ。
【請求項４】
前記解し手段は前記収容部の排出口を閉鎖する大きさを有し、その解し手段の下端面は、収容部の底面と部分接触し前記排出口を部分開放することを特徴とする請求項２又は３記載の振動フィーダ。
【請求項５】
前記排出口は、前記収容部の底面から上方に向けて所定高さ位置まで開口されていることを特徴とする請求項１乃至４の何れか１項記載の振動フィーダ。
【請求項６】
前記収容部の底面は、前記排出口に向かって該収容部の後部を後端側から前方に向かって下向き傾斜の傾斜面としたことを特徴とする請求項１乃至５の何れか１項記載の振動フィーダ。
【発明の詳細な説明】
【技術分野】
【０００１】
本発明は振動によって供給物（粉状物、粒状物等）を排出する振動フィーダに関する。
【背景技術】
【０００２】
粉状物や粒状物等の供給物を皿状の収容部に収容し、その収容部を振動手段で振動させて供給物を収容部から落下排出する振動フィーダがある（例えば、特許文献１参照）。
ところで、特許文献１に開示されているように、収容部の排出口を大きくすると、供給物を微量ずつ排出することが困難である。その為、供給物を微量ずつ排出するために、前記収容部の排出口を先細り状に絞り、狭くすることが考えられる。
【０００３】
しかし、排出口を狭くすると、供給物が排出口に向けて集まり、排出口付近で供給物が固まり易くなる。そして、狭い排出口に集まった供給物は流れが悪く出にくくなり、その供給物が固まった場合は当然のことながら排出口が固まった供給物で塞がれ、供給物を微量ずつ排出することができないという問題が生じる。
【先行技術文献】
【特許文献】
【０００４】
【特許文献１】特許第３７６１９１２号公報
【発明の概要】
【発明が解決しようとする課題】
【０００５】
本発明は上記従来の技術が有する問題点に鑑みてなされたもので、粉状物や粒状物等の供給物を微量ずつ排出するように排出口を狭くしても、供給物が固まらず、供給物を安定して排出することができる振動フィーダを提供することにある。
【課題を解決するための手段】
【０００６】
上記課題を達成するために本発明の振動フィーダは、排出口を有する収容部と、前記収容部を振動させる振動手段を備え、前記振動手段の作動による収容部の振動で前記収容部内の供給物を排出口より排出する振動フィーダにおいて、前記収容部は先細りの排出口を備え、その収容部内に、供給物の固まりを崩す解し手段を備えていることを特徴とする。
【０００７】
上記手段によれば、振動手段の作動で収容部内の供給物は先細りの排出口に向かって移動され、排出口から排出される。そして、前記排出口が狭くなる為、該排出口付近に供給物が集まり、流れにくく固まり易くなるが、前記収容部内に供給物の固まりを崩す解し手段が備えられている為、供給物の集まり、固まりを解し（崩し）て、固まりをなくす。従って、狭い排出口から供給物を安定して排出することができる。
【０００８】
前記解し手段は前記収容部内の何れの場所に配置されていてもよいが、前記排出口の上流側近傍に配置するのが好適である。
それにより、排出口付近で固まろうとする供給物を確実に崩壊でき、安定した排出が可能となる。
【０００９】
また、前記解し手段はそれ自体が供給物の固まりを崩す動力源を備えたもの、或いは、他からの動力の供給を受けて作動するものの何れでもよい。他からの動力の供給を受けて作動する形態としては、例えば、前記収容部を振動させる振動手段の作動による該収容部の振動を動力源とし、解し手段が前記収容部の振動によって作動し、供給物の固まり等と衝突して該固まりを解す（崩す）ようにする。前記収容部の振動による解し手段の作動方向は、収容部の底面と交差する上下方向、収容部の底面（水平面）と平行する左右、前後方向が挙げられる。
その場合、解し手段を駆動する動力源を備える必要がないため、経済的で安価に構成することができる。
【００１０】
また、前記解し手段の形状、大きさは特に限定されないが、例えば、前記解し手段を前記収容部の排出口を閉鎖する大きさの棒状物、球状物とし、その棒状物、球状物（解し手段）の下端面は、収容部の底面と部分接触し前記排出口を部分開放するようにする。
上記手段によれば、棒状物、球状物（解し手段）の下端面及び外周面が供給物の固まり等と当たって供給物の固まり、集合物を解し（崩し）、その棒状物、球状物（解し手段）の下端面が収容部の底面と接触している状態でも、該棒状物、球状物（解し手段）の下端面は底面と部分接触して一部に非接触の隙間が存在する為、供給物の移動路が確保される。従って、前記排出口の全体が解し手段で閉鎖されることはなく、供給物を連続して排出することが可能となり、排出作業を迅速に行うことができる。
【００１１】
また、前記排出口の高さは特に限定されないが、例えば、収容部の底面から上方に向けて所定高さ位置まで開口し、それより上方は閉鎖してもよい。尚、開口高さ（閉鎖位置）は固定式、上下調節式の何れでもよい。
上記手段によれば、前記排出口の開口高さを規定することで、該排出口を通過する量を決定することができる。
【００１２】
さらに、前記収容部の底面は排出口に至る全面が同じレベルの面でもよいが、異なるレベル面で構成してもよい。例えば、前記排出口に向かって該収容部の後部を後端側から前方に向かって下向き傾斜の傾斜面とする。前記傾斜面の形態としては、前記収容部における排出口と反対側の後部を単一の傾斜面で構成する、或いは角度の異なる複数の傾斜面を連結して構成する等、何れでもよい。
上記手段によれば、収容部に収容した供給物を該収容部の振動で効率よく排出口側に向けて移動させることができ、供給物が収容部における排出口と反対側の領域に溜まるのを防止できる。それによって、供給物を迅速に排出することが可能となる。
【発明の効果】
【００１３】
本発明の振動フィーダは、粉状物や粒状物等の供給物を微量ずつ排出するように排出口を狭くしても、収容部内の解し手段で供給物の集まり、固まりを解して、収容部の振動による供給物の移動（流れ）を確保できるため、供給物を安定して排出（供給）することができる。
【図面の簡単な説明】
【００１４】
【図１】本発明に係る振動フィーダの実施の形態の一例を示し、（ａ）は正面図、（ｂ）は同平面図、（ｃ）は同側面図。
【図２】拡大縦断面図。
【図３】解し手段の支持構造の変形例を示す図で、（ａ）は縦断正面図、（ｂ）は同平面図。
【図４】解し手段の支持構造の他の例を示す縦断面図。
【図５】解し手段の下端面が収容部の底面と部分接触する他の変形例を示し、（ａ）は縦断面図、（ｂ）は同側面図。
【図６】解し手段の振動を示す説明図。
【発明を実施するための形態】
【００１５】
以下、本発明に係る振動フィーダの実施の形態の一例を図面に基づいて説明する。
図１乃至図２は振動フィーダの概略を示し、１は供給物Ｐを収容する収容部で、この収容部１は支持板２上に載置固定され、該支持板２は基台３上に振動手段４を介して揺動可能に支持されている。
前記振動手段４は、この種振動フィーダの振動発生源として一般的に周知の電磁部４ａと板バネ４ｂ、鉄等の磁性体からなる作動体４ｃを備え、前記電磁部４ａが基台３上に載置固定され、前記板バネ４ｂが前記支持板２と基台３とに亘って架設され、前記作動体４ｃが前記電磁部４ａのコアに近接して前記支持板２に固定されている。
【００１６】
前記収容部１は収容した粉状物や粒状物等の供給物Ｐが排出口５以外の場所から零れ落ちないように周壁１ａが起立形成され、且つ、前記周壁１ａの一部は収容した供給物Ｐを微量ずつ排出し得るように先細り形状（平面視略Ｖ字形）に形成され、その先細りの先端部分に前記排出口５が開設されている。
前記排出口５は前記収容部１の底面１ｂから上方に向けて所定高さ位置まで開口されている。尚、前記排出口５は前記振動手段４の作動によって該収容部１が振動され、その振動によって供給物Ｐが移動する方向の先端側（図面では左側）に配置形成される。
【００１７】
また、前記収容部１の底面１ｂは全体が略水平に形成されていてもよいが、収容した供給物Ｐを該収容部の振動によって前記排出口５側にスムーズに移動するよう、排出口と反対側（図面では右側）の後部が傾斜面６に形成されている。具体的には、収容部１の排出口５が形成された側と対向する後端部から該収容部の前方に向かって下向きの傾斜面６に形成されている。
【００１８】
そして、前記収容部１の前記排出口５の上流側には、該収容部１に収容された供給物Ｐが前記排出口５付近に集まって固まる供給物の固まり或いは固まる前の集合物を解す解し手段７が配置されている。
前記解し手段７は、前記収容部１の排出口５を閉鎖し得る幅及び高さ、更にある程度の重さを有した角柱体７ａに形成され、その角柱体７ａは前記収容部１の前記排出口５が形成された前端の周壁における前記排出口５より上方に位置して鉛直方向に形成した案内長孔８に、該角柱体７ａの外周面に形成した案内突起７ｂが嵌合されて上下動自在に支持されている。
前記案内長孔８の鉛直方向の長さは、前記角柱体７ａが前記収容部１の振動によって上下する動きを許容する長さで、前記角柱体７ａの下端面が収容部１の底面１ｂと接触した状態から数ミリ浮上し得る長さである。
それにより、前記角柱体７ａが上下動して収容物１内の供給物Ｐに当たることで、供給物Ｐの集合体（固まり）が解され（崩され）、供給物Ｐは該収容部１の振動で排出口５に向けてスムーズに移動される。
また、前記案内長孔８と案内突起７ｂとの嵌合をラフに形成することで、前記収容部１の振動による角柱体７ａの作動を、上下動だけでなく前後・左右方向（水平方向）にも振動し、角柱体７ａの外周面と接触する供給物Ｐを解すことができる（図６参照）。
【００１９】
また、前記解し手段７を構成する角柱体７ａの下端は、前記収容部１の底面１ｂと全面接触する平坦面として、該角柱体７ａが収容部１の底面１ｂと接触している時は前記排出口５を閉鎖するゲートとして機能するようにしてもよいが、収容部１の底面１ｂと部分接触する突起９（図示例では半球状）としてもよい。その場合は、角柱体７ａの下端面と収容部１の底面１ｂとの間に隙間が生じ、前記排出口５へ供給物Ｐが移動する流路が確保されることになる。
【００２０】
前記解し手段７は、図示した角柱体形状に限らず、例えば、球体、多面体等何れでもよく、それら球体、多面体を上下動させる動力源は図示例と同様、収容部１の上下振動を利用する方法、或いは別途動力源を備えた構成としてもよい。尚、解し手段７を前記収容部１の上下振動を利用して振動させる場合、図示例に示すように振動方向を一定方向（上下方向）に限定せず、四方八方に自由に移動して上下動するようにしてもよい。
また、前記収容部１の排出口５下流側には前記排出口５と同じ幅を有した樋状の案内筒１０が接続配置され、供給物Ｐを下流側に配置される計量装置等に安定して供給し得るようになっている。
【００２１】
前記解し手段７を、前記収容部１の上下振動で振動するように支持する構造は前記構成（案内長孔８と案内突起７ｂによる構成）に限らず、図３或いは図４に示す支持構造などでもよい。以下、その支持構造を簡単に説明する。尚、前示実施例で示した部材と同じ部材は同一の符号を付し、説明は省略する。
図３は、収容部１の先端側周壁１ａの内面に、平面視略Ｕ字状の支持枠１１を底面から所定高さ位置に固着し、その支持枠１１と収容部１の周壁１ａとで区画される上下貫通した空間に、解し手段７を構成する丸棒状の柱体７ａ’が上下動可能に挿入されている。尚、前記支持枠１１による柱体７ａ’の支持空間は、前記柱体７ａ’が上下方向だけでなく前後・左右方向（水平方向）にも揺れ動くことができる程度に大き目に形成することで、図６に示すような解し手段７の横振動による解し動作も期待できる。
【００２２】
図４は、解し手段７を構成する角柱体７ａの外周面に略Ｌ字形の引掛け枠１２を下向きに取り付け、その引掛け枠１２を前記収容部１の周壁１ａ上端に係着して上下動可能に支持されている。そして、前記引掛け枠１２の取付位置は、角柱体７ａの下端面が収容部１の底面１ｂに接触する位置、或いは僅かに浮く程度の位置とし、引掛け枠１２の長さは、該角柱体７ａが上下動しても前記引掛け枠１２が収容部１の周壁１ａから外れない長さとする。
また、前記引掛け枠１２と角柱体７ａの外周面との間の空間は収容部１の周壁１ａの厚さより多少広く形成することで、角柱体７ａに、上下動作だけでなく前後・左右方向（水平方向）への動きもさせることができる。
【００２３】
図５は、収容部１の排出口５の一部を常時開放状態（供給物の移動が可能な状態）とする他の例を示し、解し手段７を構成する角柱体７ａの下端部における収容部１の排出口５と対向する面から反対側面に向かって通孔１３が貫通して形成されている。それにより、収容部１内の供給物Ｐは角柱体７ａの上下動、或いは角柱体７ａの上下動と水平動によって解され、収容部の振動によって通孔１３を通って排出口５へと移動される。
【００２４】
上記の如く構成した振動フィーダは、前記電磁部４ａに交流電圧が印加されると、作動部４ｃは前記電磁部４ａのコアに断続的に吸引され、且つ非吸引時は板バネ４ｂの弾発力が作用して前記作動部が振動され、その振動は支持板２を介して収容部１に伝達される。この収容部１の振動により該収容部１に収容された粉体物や粒状物等の供給物Ｐは排出口５に向けて移動される。
そして、前記排出口５が先細り部の先端に開口されている為、前記収容部１の排出口５付近に集まり、その集合した供給物Ｐが場合によっては固まることもある。
しかし、前記排出口５の上流側には前記供給物Ｐの集合体（固まり）と上下動或いは前後動、左右動して接触し、前記集合を解す解し手段７が配置されている為、前記供給物Ｐは粉状、粒状の形態を維持し、収容部１の振動で排出口５からスムーズに排出される（図６参照）。
また、前記供給物Ｐの集合体と接触して集合を解す解し手段７の上下動は、前記収容部１の上下振動を利用して上下する為、解し手段を上下させるための動力源を別途設ける必要がなく、解し手段を簡単に構成することができる。
【００２５】
また、前記解し手段７の下端面を収容部１の底面１ｂと部分接触する構造（図１、図５参照）としたことにより、前記解し手段７が上下して供給物Ｐの集合体と接触し、集合体を解すと同時に、該解し手段７が下降して収容部１の底面１ｂと接触した場合でも、該解し手段７の下端面と収容部１の底面１ｂとの間には隙間（通孔１３）が存在し、前記排出口５への通路が確保される。従って、前記解し手段７が下降した場合でも供給物Ｐの移動を部分的に確保でき、早く排出処理することができる。
【００２６】
本発明に係る振動フィーダは図示した実施の形態に限定されず、本発明の要旨を変更しない範囲内で適宜変更可能である。
（１）実施の形態では、解し手段として角柱体の例を示したがこれに限らず、例えば丸棒、球体、多面体形状等、何れでもよい。
（２）実施の形態では、収容部における後部底面の傾斜面を単一の傾斜面で形成した例を示したが、これに限定されず、角度の異なる複数の傾斜面を連結して構成してもよい。但し、その場合でも、傾斜方向は後端から水平な底面に向けて順次下向きの傾斜となるように配置する。
（３）実施の形態では、収容部の振動を利用して解し手段が上下動する例を示したが、これに限らず、例えば、収容部の排出口上流側に、収容部の底面と微小な隙間をおいて水平方向に移動するローラを配置し、前記収容部の振動で水平方向に揺動して供給物と接触し、固まり等を解すようにしてもよい。
（４）実施の形態では、解し手段の動力源に収容部の振動を利用した例を示したが、これに限らず、解し手段が独自の動力源（電動モータ等）を備え、その動力源の作動により収容部内に配置した解し手段（例えば、掻き棒等）が揺動して供給物の固まり等を解すようにしてもよい。
（５）本発明に係る振動フィーダの大きさは特に限定されないが、粉状物、粒状物等を微量排出する点を考慮した場合、薬剤、化学品等を微量供給する振動フィーダとして好適である。
【符号の説明】
【００２７】
１…収容部                            １ｂ…収容部の底面
４…振動手段                            ５…排出口
６…傾斜面                              ７…解し手段
Ｐ…供給物
【図１】
2013144589.tif 000003
【図２】
2013144589.tif 000004
【図３】
2013144589.tif 000005
【図４】
2013144589.tif 000006
【図５】
2013144589.tif 000007
【図６】
2013144589.tif 000008